(57)【要約】【課題】  浴槽へのセッティングが容易にでき操作し易い移動用入浴リフトを提供する。【構成】  床面（１４）を走行する脚（４）と、脚（４）に立設され伸縮する支持部（５）と、支持部（５）に支持され入浴者を乗せる乗せ部（２）からなり、入浴者を、搬送及び昇降させ浴槽（３）に浸ける入浴リフト（４４）において、浴槽（３）に当接する前記脚（４）が平面視Ｌ字形を形成し、支柱部（６）は、縦脚（１０）と横脚（１１）との接続交点に立設され、入浴者が乗せ部（２）に移乗した状態で、入浴者及び乗せ部（２）の合計重量の重心が、平面視で、縦脚（１０）と、横脚（１１）と、対辺とで作られる三角形の中に有ることを特徴とする請求項１記載の移動式入浴リフトである。【選択図】      図１
2006204580.tif 000002
【特許請求の範囲】
【請求項１】
床面（１４）を走行する脚（４）と、脚（４）に立設され伸縮する支持部（５）と、支持部（５）に支持され入浴者を乗せる乗せ部（２）からなり、入浴者を、搬送及び昇降させ浴槽（３）に浸ける入浴リフト（４４）において、
浴槽（３）に当接する前記脚（４）が平面視Ｌ字形を形成することを特徴とする移動式入浴リフト。
【請求項２】
脚は縦脚（１０）と横脚（１１）とからなり、支持部（５）を構成する支柱部（６）は、縦脚（１０）か横脚（１１）の何れかに立設され、又は、縦脚（１０）と横脚（１１）との接続交点に立設され、
入浴者が乗せ部（２）に移乗した状態で、入浴者及び入浴リフト（４４）の合計重量の重心が、平面視で、縦脚（１０）と、横脚（１１）と、縦脚（１０）の延設先端と横脚（１１）の延設先端を結ぶ対辺とで作られる三角形の中に有ることを特徴とする請求項１記載の移動式入浴リフト。
【請求項３】
縦脚（１０）及び横脚（１１）の下面には複数個の車輪（１５）が設けられ、該車輪（１５）の向きは適宜向きに固定できることを特徴とする請求項１記載の移動式入浴リフト。
【発明の詳細な説明】
【技術分野】
【０００１】
本発明は、入浴する身体障害者や養護老人等（以下入浴者という）を入浴リフトを用いて入浴を介助する移動式入浴リフトに関するものである。
【背景技術】
【０００２】
従来の技術の特開平９−４６１４号公報には、ベースフレームと、支柱と、固定筒軸と、筒体と、螺子軸と、螺子筒と、操作手段と、係止手段とからなる昇降装置に、転倒防止手段を付加設置したものが開示されている。
【特許文献１】特開平９−４６１４号公報
【発明の開示】
【発明が解決しようとする課題】
【０００３】
従来技術に係る昇降装置は、荷重の重心がベースフレームの外側になると、ベースフレームの反支柱側が浮き上がって転倒するが、これを防止するために転倒防止手段を設けている。入浴時は、転倒防止手段を浴槽に取り付けた後、入浴を行なう。
【０００４】
前記従来技術では、浴槽へ転倒防止手段をセッティングするに手数が掛かり、又、昇降装置の転倒防止手段を浴槽へセッティングした後は、該昇降装置を走行させることができなくなり、不便であった。
【課題を解決するための手段】
【０００５】
本発明の目的は、浴槽へセッティングが容易にでき操作し易い移動用入浴リフトを提供することにある。
本発明は、床面（１４）を走行する脚（４）と、脚（４）に立設され伸縮する支持部（５）と、支持部（５）に支持され入浴者を乗せる乗せ部（２）からなり、入浴者を、搬送及び昇降させ浴槽（３）に浸ける入浴リフト（４４）において、浴槽（３）に当接する前記脚（４）が平面視Ｌ字形を形成することを特徴とする移動式入浴リフトである。
又、脚は縦脚（１０）と横脚（１１）とからなり、支持部（５）を構成する支柱部（６）は、縦脚（１０）か横脚（１１）の何れかに立設され、又は、縦脚（１０）と横脚（１１）との接続交点に立設され、入浴者が乗せ部（２）に移乗した状態で、入浴者及び入浴リフト（４４）の合計重量の重心が、平面視で、縦脚（１０）と、横脚（１１）と、縦脚（１０）の延設先端と横脚（１１）の延設先端を結ぶ対辺とで作られる三角形の中に有る。
更に、縦脚（１０）及び横脚（１１）の下面には複数個の車輪（１５）が設けられ、該車輪（１５）の向きは適宜向きに固定できる。
【発明の効果】
【０００６】
本発明は、床面１４を走行する脚４と、脚４に立設され伸縮する支持部５と、支持部５に支持され入浴者を乗せる乗せ部２からなり、入浴者を、搬送及び昇降させ浴槽３に浸ける入浴リフト４４において、前記浴槽３に当接する脚４が平面視Ｌ字形を形成するから、本発明装置を浴槽３の角に接近でき、しかも、位置決めが容易で、入浴を行ない易く、好都合である。
【０００７】
又、従来の非移動式（＝設置式）の入浴リフトに比較すると、本発明では、撤去が容易であり、又、床掃除、及び入浴リフトのメンテナンスが容易であり、更に、入浴リフトを既存の単数又は複数の浴槽３に容易に対応でき、好都合である。
【０００８】
本発明は、支持部５を構成する支柱部６は、縦脚１０及び横脚１１の接続交点に立設され、又は、縦脚１０か横脚１１の何れかに立設され、入浴者及び入浴リフト４４合計した重量の重心が、縦脚１０と、横脚１１と、縦脚１０の延設先端と横脚１１の延設先端を結ぶ辺とで形成される三角形の中に有るから、入浴リフト４４は転倒せず、浴槽３のいずれの角にも同等に好適に接近でき、好都合である。
【０００９】
本発明に係る縦脚１０及び横脚１１の下面には複数個の車輪１５が設けられ、該車輪１５の向きは適宜角度に固定できるから、車輪１５の首振りを固定すると、同一方向への往復移動が円滑に行なえ、好都合である。
【実施例１】
【００１０】
実施例１を図１、２、３に示す。
図１に示す移動式入浴リフト１は、入浴者を、脱衣場で乗せ部２に乗せ、浴槽３の直上まで移動し、必要に応じて乗せ部２を回動し、乗せ部２を下降させることにより入浴者を浴槽３に浸け、入浴させるものである。
【００１１】
移動式入浴リフト１は、脚４と、脚４に立設される支持部５と、支持部５に取り付けられる乗せ部２とからなる。
支持部５は、支柱部６と、その上端部に取着されるアーム７とからなる。
乗せ部２はアーム７の先端に取り付けられる。
【００１２】
支柱部６は伸縮するものであり、該支柱部６内に支柱部６を伸縮させるアクチュエーター８が設けられ、脚４にはアクチュエーター８に電力を供給するバッテリー９が載設される。
【００１３】
脚４は、縦脚１０及び横脚１１から構成され平面視Ｌ字形を形成する。縦脚１０の後端から該縦脚１０と直角方向に横脚１１が延設される。
縦脚１０の後端における横脚１１の接合部には脚回動部１２が設けられ、通常時は縦脚１０と横脚１１とがなす角度は９０度である。
【００１４】
縦脚１０と横脚１１とがなす角度は必要に応じて、開脚又は閉脚させ適宜角度に固定できる。開閉固定ストッパー１３は脚回動部１２の回動作用を固定するものである。
縦脚１０と横脚１１とは略同長である。
脚４の他の例では、縦脚１０の長さと横脚１１の長さは異なる。
縦脚１０の下面の両端部には、床面１４を走行する前・後車輪１５ａ・１５ｂが設けら、横脚１１の延設端には右車輪１５ｃが設けられる。
【００１５】
車輪１５は、取り付け軸１６にフォーク１８が設けられ、フォーク１８に回動輪１７が設けられてなり、前記フォーク１８は取り付け軸１７を中心に回動し、回動輪１７は水平方向軸心に回動するものである。
縦脚１０と横脚１１の接続位置付近の適宜位置には、フォーク１８の回動（＝首振り回動）を適宜角度に固定する方向固定ペダル１９と、回動輪１７の回動を固定する回動固定ペダル２０が設けられる。
【００１６】
支持部５を構成する支柱部６は、昇降する昇降柱２１と、該昇降柱２１の外側にあって昇降柱２１を摺動可能に収容する固定柱２２とから構成される。
固定柱２２は脚４に立設固定され、昇降柱２１が固定柱２２の内に位置してアクチュエーター８に支持される。
【００１７】
固定柱２２は縦脚１０と横脚１１との接続位置に立設される。固定柱２２の適宜位置には、介助者が乗せ部２を移動させる時に掴む取っ手２３、及び、上昇スイッチ２４及び下降スイッチ２５が配設された操作部２６が設けられる。
【００１８】
アクチュエーター８にバッテリー９からの電力が付与されると、進退軸２７が進退し、昇降柱２１が昇降する。
昇降柱２１と固定柱２２の間にはキー機構（図示省略）が設けられる。該キー機構の作用により昇降時の昇降柱２１は固定柱２２に対して回動しない。
【００１９】
アーム７は、その基端は昇降柱２１の頂部に取着され、その先端には垂直軸芯に回動自在な回動機構２８、及び水平軸芯に回動自在な背回動部２９が設けられ、回動機構２８及び背回動部２９を介して乗せ部２が取着される。
【００２０】
乗せ部２は入浴者を載せるものであり、移動式入浴リフト１の適宜な走行及び昇降によって、脱衣場（図示省略）から浴槽３内へ、浴槽３内から脱衣場へ移動できるものである。
前記乗せ部２は、背凭れ３０と、座部３１と、下腿座部３２とからなる。背凭れ３０を背回動部２９に取着することによって乗せ部２はアーム７に支持される。
【００２１】
前記下腿座部３２の基部は、座部３１の先部に下腿回動部３３を介して回動可能に接続される。
下腿座部３２の回動に伴い該下腿座部３２の先部は昇降する。入浴者の足を高位に上げたい時に、下腿座部３２の先部を上昇させる。下腿回動部３３にはラチェット機構（図示省略）が組み込まれており、下腿座部３２の先部の上昇は自在であり下降は逆止作用が働き不自在である。前記下降はラチェット機構を解除して行なう。
回動機構２８は、アーム７に対する乗せ部２の向きを適宜変更調節するものである。
【００２２】
浴槽３のどの角に移動式入浴リフト１を接合させるかによって乗せ部２の向きを適宜回動変更し、変更後ロック具３４で固定する。
背凭れ３０の両側部には入浴者が握る握り手３５が設けられ、該握り手３５は入浴者が乗せ部２に乗降する際には、適宜上方へ回動させる。
【００２３】
座部３１の略中央部には、穴３６が設けられ、背凭れ３０の下部には背凹部３７が切り欠かれており、これらの穴３６及び背凹部３７は、入浴者へ湯をより多く接触させる為、及び介助作業をし易くする為に設けた空間である。
座部３１の下面及び背凭れ３０の後面には、転動自在なローラー３８が設けられる。
【００２４】
乗せ部２が下降中、ローラー３８が浴槽３の側壁又は底壁に当たった時に、ローラー３８は転動し、乗せ部２が、背回動部２９を中心に回動し、後傾姿勢になる。
入浴者及び入浴リフト４４の合計重量の重心は、平面視で、縦脚１０、横脚１１、縦脚１０の延設先端と横脚１１の延設先端とを結ぶ対辺（仮想辺）でなる三角形の中に有る。
【００２５】
尚、前記固定柱２２は縦脚１０と横脚１１との接続交点に立設されるが、他の例では、入浴者及び入浴リフト４４の合計重量の重心を前記三角形の中に確保し、前記固定柱２２を縦脚１０上又は横脚１１上に立設する。
【００２６】
貯湯し入浴に供する浴槽３は、浴室に設けられ、平面視長方形である。浴槽３に適宜給湯装置で適温の湯を満たす。
【００２７】
実施例１を使用する際は、先ず、乗せ部２を脱衣場側の乗降位置へ停車させる。
車輪１５のフォーク１８の首振り回動を固定し、回動輪１７の回動を固定する。
乗せ部２の座部３１に入浴者を乗せる。入浴者の上体にベルト３９を掛け、入浴者を乗せ部２に固定する。
【００２８】
操作部２６の上昇スイッチ２４を押し、昇降柱２１を上昇させる。
即ち、上昇スイッチ２４を押すとアクチュエーター８が駆動し、アクチュエーター８は昇降柱２１を上昇させる。
【００２９】
上昇中、昇降柱２１は固定柱２２に対して回動せず平行移動状に上昇する。昇降柱２１を上限まで上昇させる。昇降柱２１の上昇と共に、アーム７及び乗せ部２が上昇する。
【００３０】
次に、介助者は、回動固定ペダル２０を蹴り上げ、回動輪１７の固定作用を解除し、回動輪１７の回動を自在とする。
又、方向固定ペダル１９を蹴り上げ、車輪１５のフォーク１８の固定作用を解除し、首振り回動を自在とし車輪１５の向き（＝移動方向）を自在にする。
【００３１】
移動式入浴リフト１を脱衣場から浴槽３へ走行移動させる。
浴槽３の近くで、上昇スイッチ２４を押し、入浴者を上限まで上昇させる。下腿座部３２を回動させ、入浴者の足だけを更に上げる。
【００３２】
次に、縦脚１０と横脚１１の接続交点の近辺の脚凹部４０を、浴槽３の左前角４１に当接させる。入浴者は浴槽３の前縁４２を越える。
当接後、方向固定ペダル１９を踏み首振り回動を固定し、回動輪１７の回動を固定する。
浴槽３の直上に乗せ部２が来ていることを確認する。
【００３３】
確認後、アクチュエーター８を作動させてアクチュエーター８の進退軸２７を退入させ、昇降柱２１を下降させ、乗せ部２を浴槽３内へ降ろし、入浴者を浴槽３内の湯に浸け、入浴を行なう。
【００３４】
前記脚凹部４０を浴槽３の左前角４１に合わせて入浴に使用した後に、次回使用時、脚凹部４０を、浴槽３の奥左角４２に合わせる場合には、乗せ部２が浴槽３の開口部の直上に来ないので、回動機構２８のロック具３４を緩め乗せ部２の位置を９０度回動修正し、乗せ部２を浴槽３の開口部の直上に位置させ、その後にロック具３４を締め、回動機構２８を固定するという操作を行なう。
【００３５】
退浴の際、介助者は上昇スイッチ２４を押し、乗せ部２及び入浴者を上昇させる。
【００３６】
昇降柱２１が上限へ至ると、方向固定ペダル１９踏んでフォーク１８の固定を解除し、回動固定ペダル２０を踏んで、回動輪１７の固定を解除する。
移動式入浴リフト１を、浴槽３側から脱衣場へ走行させる。
方向固定ペダル１９を踏み、更に、回動固定ペダル２０を踏み、その後、下降スイッチ２５を押し、入浴者を下降させる。
ベルト３９を外し、下腿座部３２を下降させて元位置に戻し、入浴者を座部３１から降ろし、入浴を終わる。
【００３７】
移動式入浴リフト１を使用しない時には、座部３１の先部を持ち上げ該座部３１と背凭れ３０の接続回動部４３を折り曲げ、座部３１を背凭れ３０に合わせて畳み、ベルト３９で座部３１を背凭れ３０に括り止める。
脚４を閉脚し、移動式入浴リフト１の占有空間を小さくし、適宜な収納場所に走行し収納する。
【実施例２】
【００３８】
図４、５、６に示す実施例２は、実施例１のアクチュエーター８を、支柱部６の頂部へ設け、横脚１１の延設中途部に横脚折軸４６を設けたものである。
実施例２の横脚１１は、横脚基部１１ａと、横脚先部１１ｂと、横脚基部１１ａと横脚先部１１ｂを曲折可能に連結する横脚折軸４６とからなる。
実施例２を使用しない収納時には、横脚先部１１ｂを曲折し縦脚１０に平行状態にする。
【実施例３】
【００３９】
実施例３は、実施例２の縦脚１０の延設中途部に縦脚折軸４７を設けたものである。
実施例３の縦脚１０は、縦脚基部１０ａと、縦脚先部１０ｂと、縦脚基部１０ａと縦脚先部１０ｂを曲折可能に連結する縦脚折軸４７とからなる。
縦脚１０には、縦補助脚４８が設けられ、更に、縦脚先部１０ｂを回動させる縦脚アクチュエーター５０が設けられる。横脚１１には、横補助脚４９が設けられ、更に、横脚先部１１ｂを回動させる横脚アクチュエーター５１が設けられる。
【００４０】
実施例３を、狭い所を走行させる時に、縦脚先部１０ｂ及び横脚先部１１ｂを、それぞれ内側へ僅か回動させ少し折り曲げ、縦脚１０及び横脚１１の広がりを狭ばめ、脚４の横幅を小さくして走行する。
【産業上の利用可能性】
【００４１】
浴室の脱衣場と浴槽３の間を移動する移動式入浴リフト１において、脚４をL字形にし、移動操作をし易くした移動式入浴リフトに適用できる。
【図面の簡単な説明】
【００４２】
【図１】本発明実施例１の斜視図である。
【図２】本発明実施例１の入浴リフトを浴槽の前左角に接合させた平面図である。
【図３】本発明実施例１の入浴リフトを浴槽の奥左角に接合させた平面図である。
【図４】本発明実施例２の右側面図である。
【図５】本発明実施例２の平面図である。
【図６】本発明実施例２の収納状態を示す平面図である。
【図７】本発明実施例３の平面図である。
【符号の説明】
【００４３】
１  移動式入浴リフト１
２  乗せ部
３  浴槽
４  脚
５  支持部
６  支柱部
１０  縦脚
１１  横脚
１４  床面
１５  車輪
４４  入浴リフト
【図１】
2006204580.tif 000003
【図２】
2006204580.tif 000004
【図３】
2006204580.tif 000005
【図４】
2006204580.tif 000006
【図５】
2006204580.tif 000007
【図６】
2006204580.tif 000008
【図７】
2006204580.tif 000009